(57)【要約】【課題】  無線通信システムにおけるモバイル機器に対して近接情報送信を扱う方法を提供する。【解決手段】  当該方法は、ハンドオーバ・コマンド又は無線リソース制御（ＲＲＣ）接続再設立手順を受信することによってトリガーされるハンドオーバ手順を開始するステップ、モバイル機器におけるホワイトリストのクローズド・サブスクライバー・グループ（ＣＳＧ）セルを検出し、該ホワイトリストはモバイル機器に対してアクセス可能なＣＳＧセルのリストを供給する、ステップ、及び無線通信システムのネットワークから受信されたＲＲＣメッセージに従って近接情報送信を実施するかどうかを決定し、該ＲＲＣメッセージは、近接情報送信の設定を含む、ステップ、を含む。【選択図】図１
2011097589.tif 000002
【特許請求の範囲】
【請求項１】
無線通信システムにおけるモバイル機器に対して近接情報送信を扱う方法であり：
ハンドオーバ・コマンド又は無線リソース制御（ＲＲＣ）接続再設立手順を受信することによってトリガーされるハンドオーバ手順を開始するステップ；
前記モバイル機器におけるホワイトリストのクローズド・サブスクライバー・グループ（ＣＳＧ）セルを検出し、該ホワイトリストは、該モバイル機器に対してアクセス可能なＣＳＧセルのリストを供給する、ステップ；
前記無線通信システムのネットワークから受信されたＲＲＣメッセージに従って前記近接情報送信を実施するかどうかを決定し、該ＲＲＣメッセージは、前記近接情報送信の設定を含む、ステップ；
を含む方法。
【請求項２】
請求項１に記載の方法であり、前記無線通信システムのネットワークから受信された前記ＲＲＣメッセージに従って前記近接情報送信を実施するかどうかを決定するステップが：
前記ハンドオーバ手順又は前記ＲＲＣ接続再設立手順が完全に実施された後に、前記ＲＲＣメッセージが前記近接情報の送信を設定する場合、前記近接情報送信を実施するステップ；
を含む方法。
【請求項３】
請求項１に記載の方法であり、前記無線通信システムのネットワークから受信された前記ＲＲＣメッセージに従って前記近接情報送信を実施するかどうかを決定するステップが：
前記ハンドオーバ手順又は前記ＲＲＣ接続再設立手順が完全に実施された後に、前記ＲＲＣメッセージが前記近接情報の送信を設定しない場合、前記近接情報送信を実施しないと決定するステップ；
を含む方法。
【請求項４】
前記ＲＲＣメッセージは、前記ＲＲＣ接続再設立手順が完全に実施された直後に受信されるＲＲＣ接続再設定メッセージ又は前記ハンドオーバをリクエストするＲＲＣ接続再設定メッセージである、請求項１に記載の方法。
【請求項５】
無線通信システムにおけるモバイル機器に対して近接情報送信を扱う方法であり：
ハンドオーバ・コマンド又は無線リソース制御（ＲＲＣ）接続再設立手順を受信することによってトリガーされるハンドオーバ手順を開始するステップ；
前記モバイル機器におけるホワイトリストのクローズド・サブスクライバー・グループ（ＣＳＧ）セルを検出し、該ホワイトリストは、モバイル機器に対してアクセス可能なＣＳＧセルのリストを供給する、ステップ；及び
前記ハンドオーバ手順又は前記ＲＲＣ接続再設立手順が完全に実施された後に、前記近接情報送信の設定を含むＲＲＣメッセージが前記無線通信システムのネットワークから受信された場合、前記近接情報送信を実施するステップ；
を含む方法。
【請求項６】
前記ＲＲＣメッセージは、前記ＲＲＣ接続再設立手順が完全に実施された直後に受信されるＲＲＣ接続再設定メッセージ又は前記ハンドオーバをリクエストするＲＲＣ接続再設定メッセージである、請求項５に記載の方法。
【請求項７】
無線通信システムにおけるモバイル機器に対して近接情報送信を扱う方法であり：
近接情報の設定を含む無線リソース制御（ＲＲＣ）メッセージを前記無線通信システムのネットワークから受信するステップ；
ハンドオーバ・コマンド又はＲＲＣ接続再設立手順を受信することによってトリガーされるハンドオーバ手順を開始するステップ；及び
前記近接情報の送信を無効化するステップ；
を含む方法。
【請求項８】
前記近接情報の送信を無効化するステップが、前記近接情報送信の設定をリリースするステップを含む、請求項７に記載の方法。
【請求項９】
近接情報送信を扱うための無線通信システムのモバイル機器であり：
ハンドオーバ・コマンド又は無線リソース制御（ＲＲＣ）接続再設立手順を受信することによってトリガーされるハンドオーバ手順を開始する手段；
前記モバイル機器におけるホワイトリストのクローズド・サブスクライバー・グループ（ＣＳＧ）セルを検出する手段であり、該ホワイトリストは、前記モバイル機器に対してアクセス可能なＣＳＧセルのリストを供給する、手段；及び
前記無線通信システムのネットワークから受信されるＲＲＣメッセージに従って前記近接情報送信を実施するかどうかを決定する手段であり、該ＲＲＣメッセージは、前記近接情報送信の設定を含む、手段；
を有するモバイル機器。
【請求項１０】
請求項９に記載のモバイル機器であり、前記無線通信システムのネットワークから受信された前記ＲＲＣメッセージに従って前記近接情報送信を実施するかどうかを決定する手段が：
前記ハンドオーバ手順又は前記ＲＲＣ接続再設立手順が完全に実施された後に、前記ＲＲＣメッセージが前記近接情報の送信を設定する場合、前記近接情報送信を実施する手段；
を有するモバイル機器。
【請求項１１】
請求項９に記載のモバイル機器であり、前記無線通信システムのネットワークから受信された前記ＲＲＣメッセージに従って前記近接情報送信を実施するかどうかを決定する手段が：
前記ハンドオーバ手順又は前記ＲＲＣ接続再設立手順が完全に実施された後に、前記ＲＲＣメッセージが前記近接情報の送信を設定しない場合、前記近接情報送信を実施しないことを決定する手段；
を有するモバイル機器。
【請求項１２】
前記ＲＲＣメッセージは、前記ＲＲＣ接続再設定メッセージは、前記ＲＲＣ接続再設立手順が完全に実施された直後に受信されるＲＲＣ接続再設定メッセージ又は前記ハンドオーバをリクエストするＲＲＣ接続再設定メッセージである、請求項９に記載のモバイル機器。
【請求項１３】
近接情報送信を扱うための無線通信システムのモバイル機器であり：
ハンドオーバ・コマンド又は無線リソース制御（ＲＲＣ）接続再設立手順を受信することによってトリガーされるハンドオーバ手順を開始する手段；
前記モバイル機器におけるホワイトリストのクローズド・サブスクライバー・グループ（ＣＳＧ）セルを検出する手段であり、該ホワイトリストは、前記モバイル機器に対してアクセス可能なＣＳＧセルのリストを供給する、手段；及び
前記ハンドオーバ手順又は前記ＲＲＣ接続再設立手順が完全に実施された後に、前記近接情報送信の設定を含むＲＲＣメッセージが前記無線通信システムのネットワークから受信される場合、前記近接情報送信を実施する手段；
を含むモバイル機器。
【請求項１４】
前記ＲＲＣメッセージは、前記ＲＲＣ接続再設立手順が完全に実施された直後に受信されるＲＲＣ接続再設定メッセージ又は前記ハンドオーバをリクエストするＲＲＣ接続再設定メッセージである、請求項１３に記載のモバイル機器。
【請求項１５】
近接情報送信を扱うための無線通信システムのモバイル機器であり：
近接情報の設定を含む無線リソース制御（ＲＲＣ）メッセージを前記無線通信システムのネットワークから受信する手段；
ハンドオーバ・コマンド又はＲＲＣ接続再設立手順を受信することによってトリガーされるハンドオーバ手順を開始する手段；及び
前記近接情報の送信を無効化する手段；
を含むモバイル機器。
【請求項１６】
前記近接情報の送信を無効化する手段が、前記近接情報送信の設定をリリースする手段を含む、請求項１５に記載のモバイル機器。
【発明の詳細な説明】
【技術分野】
【０００１】
本出願は、２００９年１２月１５日に出願された「Ｍｅｔｈｏｄｓ  ｔｏ  ｔｒａｎｓｍｉｔ  ｐｒｏｘｉｍｉｔｙ  ｉｎｄｉｃａｔｉｏｎ  ｉｎｆｏｒｍａｔｉｏｎ  ｉｎ  ｗｉｒｅｌｅｓｓ  ｃｏｍｍｕｎｉｃａｔｉｏｎｓ  ｓｙｓｔｅｍ」と題する米国特許仮出願第６１／２８６，３９６号及び２００９年１０月３０日に出願された「Ｍｅｔｈｏｄｓ  ｔｏ  ｔｒａｎｓｍｉｔ  ｐｒｏｘｉｍｉｔｙ  ｉｎｄｉｃａｔｉｏｎ  ｉｎｆｏｒｍａｔｉｏｎ  ｉｎ  ｗｉｒｅｌｅｓｓ  ｃｏｍｍｕｎｉｃａｔｉｏｎ  ｓｙｓｔｅｍ」と題する米国特許仮出願第６１／２５６，３１７号の利益を主張し、該文献は、全体として本文献に取り入れられる。
【０００２】
本出願は、無線通信システム及びその通信装置に使用される方法に関し、さらに具体的には、無線通信システムにおける近接情報送信を扱う方法及びそれに関連する通信装置に関する。
【背景技術】
【０００３】
３ＧＰＰ（第３世代パートナーシップ・プロジェクト）によって開始された長期的発展型無線通信システム（ＬＴＥシステム）は、現在、新しい無線インターフェース及び高いデータ転送速度、低いレイテンシ、パケット最適化、改善されたシステム容量及び受信地域を提供する無線ネットワーク・アーキテクチャとして考慮されている。ＬＴＥシステムにおいて、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、複数のｅＮＢｓ（ｅｖｏｌｖｅｄ  Ｎｏｄｅ−Ｂｓ）を含み、ユーザー装置（ＵＥｓ）としても呼ばれる複数のモバイル・ステーションと通信する。
【０００４】
ＬＴＥシステムにおいて、ＣＳＧ（クローズド・サブスクライバー・グループ）のフィーチャーをサポートするＵＥは、ＣＳＧ／ハイブリッド・セルへのインバウンド・モビリティ（すなわち、ハンドオーバ）をトリガーするために、近接情報をネットワークへ送信する。そのＣＳＧをサポートするＵＥは、ＵＥがアクセスすることを許可されているＣＳＧセルに付随する１つ又はそれ以上のＣＳＧアイデンティティーを含むＣＳＧホワイトリストを有する。そのＣＳＧセルは、家又はオフィスでの帯域幅の高い無線インターネット・アクセス及び屋内の受信範囲における効率的且つ費用効果の高い容量などの大きな利点を有するために設置される小受信範囲基地局に付随している。一方、ハイブリッド・セルは、ＵＥによってＣＳＧセル（そのＣＳＧホワイトリストはセルのＣＳＧアイデンティティーを含む）としてアクセスされ、あるいは他の全てのＵＥによって通常のセルとしてアクセスされる。
【０００５】
インバウンド・モビリティの動作に関しては、ＵＥがＣＳＧホワイトリストにおけるＣＳＧセルの近傍に入ることをそのＵＥが検出する場合、近接情報はネットワーク（例えば、Ｅ−ＵＴＲＡＮ、ｅＮＢ、又は基地局）へ送信される。そのネットワークは、必要な場合、測定ギャップを含んだ測定設定で、近接情報が受信された後にＵＥを設定する。その間、ＵＥは、検出されたＣＳＧセルのシステム情報を、その検出されたＣＳＧセルのＣＳＧアイデンティティーを取得するために読み込み、ＣＳＧアイデンティティーがＣＳＧホワイトリスト内にあるかどうかチェックする。ＣＳＧアイデンティティーがＣＳＧホワイトリスト内に確かに存在する場合、ＵＥは、検出されたＣＳＧセルの測定を実施し、ハンドオーバに備えてネットワークへ測定レポートを生成する。従って、ネットワークは、その測定レポートに従って、そのＣＳＧセルへＵＥをハンドオーバする。
【０００６】
さらに、ＵＥは、ネットワークがＣＳＧ／ハイブリッド・セルへのインバウンド・モビリティがサポートされていると示す場合、近接情報をそのネットワークへ送信することが可能である。例えば、ＵＥは、現在ＵＥを供給している第１のｅＮＢがＣＳＧ／ハイブリッド・セルへのインバウンド・モビリティをサポートすることを示す「インバウンドＨＯサポート」フィールドを含む「ＲＲＣ接続再設定」メッセージがネットワークから受信される場合、近接情報を「ＲＲＣ接続再設定リクエスト」メッセージにおいて送信するために、ＲＲＣ接続再設定リクエスト手順を開始する。しかし、ＵＥは、無線リンク故障に対面し、ＲＲＣ接続再設立手順を第２ｅＮＢに実施する。その間、ＵＥは、それがＣＳＧホワイトリストにおけるＣＳＧセルに近いことを検出し、「ＲＲＣ接続再設定リクエスト」メッセージを第２ｅＮＢに送信する。それにもかかわらず、その第２ｅＮＢは、ＣＳＧ／ハイブリッド・セルへのインバウンド・モビリティをサポートしないかもしれない。「ＲＲＣ接続再設定リクエスト」メッセージは、第２ｅＮＢを混乱させ、第２ｅＮＢが「ＲＲＣ接続再設定リクエスト」メッセージを処理出来ないために、第２ｅＮＢにシステム故障をもたらす。
【０００７】
さらに、上記の状況は、ユニバーサル・モバイル・テレコミュニケーション・システム（ＵＭＴＳ）において起こり得る。例えば、ＵＥは、それが、ＣＳＧアイデンティティーがＣＳＧホワイトリスト内にあるＣＳＧ／ハイブリッド・セルの近くにある場合、ＳＲＮＣ（Ｓｅｒｖｉｎｇ  Ｒａｄｉｏ  Ｎｅｔｗｏｒｋ  Ｃｏｎｔｒｏｌｌｅｒ）を近接情報とともに提供する。ＵＭＴＳシステムにおける似た動作によって、前述の問題がまた出てくる。
【先行技術文献】
【非特許文献】
【０００８】
【非特許文献１】３ＧＰＰ  ＴＳ  ２５．３６７  Ｖ９．１．０  ３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｍｏｂｉｌｉｔｙ  Ｐｒｏｃｅｄｕｒｅｓ  ｆｏｒ  Ｈｏｍｅ  ＮｏｄｅＢ；Ｏｖｅｒａｌｌ  Ｄｅｓｃｒｉｐｔｉｏｎ；Ｓｔａｇｅ２（Ｒｅｌｅａｓｅ  ９）
【非特許文献２】３ＧＰＰ  ＴＳ  ２５．３３１  Ｖ９．０．０  ３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｒａｄｉｏ  Ｒｅｓｏｕｒｃｅ  Ｃｏｎｔｒｏｌ（ＲＲＣ）；Ｐｒｏｔｏｃｏｌ  Ｓｐｅｃｉｆｉｃａｔｉｏｎ（Ｒｅｌｅａｓｅ  ９）
【非特許文献３】３ＧＰＰ  Ｒ２−０９６２９３  Ｃａｐｔｕｒｉｎｇ  ａｇｒｅｅｍｅｎｔｓ  ｏｎ  ｉｎｂｏｕｎｄ  ｍｏｂｉｌｉｔｙ
【発明の概要】
【発明が解決しようとする課題】
【０００９】
本出願は、上記の問題を解決するために、無線通信システムにおける近接情報送信を扱う方法及び関連する通信装置を開示する。
【課題を解決するための手段】
【００１０】
無線通信システムにおける、モバイル機器に対して近接情報送信を扱う方法が開示される。当該方法は、ハンドオーバ・コマンド又は無線リソース制御（ＲＲＣ）接続再設立手順を受信することによってトリガーされるハンドオーバ手順を開始するステップ、モバイル機器におけるホワイトリストのＣＳＧ（クローズド・サブスクライバー・グループ）セルを検出するステップ（該ホワイトリストは、モバイル機器に対してアクセス可能なＣＳＧセルのリストを供給する）、及び無線通信システムのネットワークから受信されたＲＲＣメッセージに従って近接情報送信を実施するかどうかを決定するステップを含み、そのＲＲＣメッセージは、近接情報送信の設定を含む。
【００１１】
無線通信システムにおけるモバイル機器に対して近接情報送信を扱う方法が開示される。当該方法は、ハンドオーバ・コマンド又は無線リソース制御（ＲＲＣ）接続再設立手順を受信することによってトリガーされるハンドオーバ手順を開始するステップ、モバイル機器におけるホワイトリストのＣＳＧ（クローズド・サブスクライバー・グループ）を検出するステップ（ホワイトリストは、そのモバイル機器に対してアクセス可能なＣＳＧセルのリストを供給する）、及び、ハンドオーバ手順又はＲＲＣ接続再設立手順が完全に実施された後に近接情報送信の設定を含むＲＲＣメッセージが、無線通信システムのネットワークから受信される場合、近接情報送信を実施するステップ、を含む。
【００１２】
無線通信システムにおけるモバイル機器に対して近接情報送信を扱う方法が開示される。当該方法は、近接情報の設定を含む無線リソース制御（ＲＲＣ）メッセージを無線通信システムのネットワークから受信するステップ、ハンドオーバ・コマンド又はＲＲＣ接続再設立手順を受信するすることによってトリガーされるハンドオーバ手順を開始するステップ、及び近接情報の送信を無効にするステップを含む。
【００１３】
近接情報送信を扱うための無線通信システムのモバイル機器が開示される。当該モバイル機器は、ハンドオーバ・コマンド又は無線リソース制御（ＲＲＣ）接続再設立手順を受信することによってトリガーされるハンドオーバ手順を開始する手段、モバイル機器におけるホワイトリストのＣＳＧ（クローズド・サブスクライバー・グループ）セルを検出する手段（ホワイトリストは、そのモバイル機器に対してアクセス可能なＣＳＧセルのリストを供給する）、及び無線通信システムのネットワークから受信されるＲＲＣメッセージに従って近接情報送信を実施するかどうかを決定する手段（ＲＲＣメッセージは、その近接情報送信の設定を含む）を含む。
【００１４】
近接情報送信を扱うための、無線通信システムのモバイル機器が開示される。当該モバイル機器は、ハンドオーバ・コマンド又は無線リソース制御（ＲＲＣ）接続再設立手順を受信することによってトリガーされるハンドオーバ手順を開始する手段、モバイル機器におけるホワイトリストのＣＳＧセルを検出する手段（ホワイトリストは、そのモバイル機器においてアクセス可能なＣＳＧセルのリストを供給する）、及び、ハンドオーバ手順又はＲＲＣ接続再設立手順が完全に実施された後に、近接情報送信の設定を含むＲＲＣメッセージが無線通信システムのネットワークから受信された場合に近接情報送信を実施する手段、を含む。
【００１５】
近接情報送信を扱うための、無線通信システムのモバイル機器が開示される。当該モバイル機器は、近接情報の設定を含む無線リソース制御（ＲＲＣ）メッセージを無線通信システムのネットワークから受信する手段、ハンドオーバ・コマンド又はＲＲＣ接続再設立手順を受信することによってトリガーされるハンドオーバ手順を開始する手段、及び近接情報の送信を無効にする手段を含む。
【００１６】
本発明のこれら及び他の目的は、さまざまな図表において説明される望ましい例の以下の詳細な説明を当業者が読むことによって明らかになるはずである。
【図面の簡単な説明】
【００１７】
【図１】模範的な無線通信システムの概略図である。
【図２】模範的な通信装置の概略図である。
【図３】模範的な通信システムに対する通信プロトコル層の概略図である。
【図４】模範的なプロセスのフローチャートである。
【図５】模範的なプロセスのフローチャートである。
【図６】模範的なプロセスのフローチャートである。
【発明を実施するための形態】
【実施例】
【００１８】
１例に従って無線通信システム１０の概略図を表わす図１を参照されたい。簡潔に、無線通信システム１０は、ネットワーク及び複数のモバイル機器で構成される。その無線通信システム１０は、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ＬＴＥシステム（長期的発展型無線通信システム）又は他の似たネットワーク・システムであってよい。ＬＴＥシステムにおいて、ネットワークは、複数のｅＮＢ又はコア・ネットワーク・エンティティ（例えば、ＭＭＥと呼ばれるＭｏｂｉｌｉｔｙ  Ｍａｎａｇｅｍｅｎｔ  Ｅｎｔｉｔｙ）を含むＥ−ＵＴＲＡＮ（ｅｖｏｌｖｅｄ−ＵＴＲＡＮ）として呼ばれてよいが、一方、モバイル機器は、ユーザー機器（ＵＥ）として呼ばれる。そのＵＥは、携帯電話、コンピュータ・システムなどの機器であってよい。この用語は、簡潔化のため本出願の全体において使用される。しかし、これは、ネットワークの如何なる特定のタイプに関しても開示を限定するものとして解釈するべきではない。いくつかの例において、ネットワーク及びＵＥは、送信方向（例えば、アップリンク（ＵＬ））に従って送信機又は受信機として考えられ、ＵＥが送信機であり、ネットワークは受信機である。ダウンリンク（ＤＬ）では、ネットワークが送信機であり、ＵＥは受信機である。
【００１９】
図２は、模範的な通信装置２０の概略図を示す。通信装置２０は、図１で示されるモバイル機器１０であってもよいが、ここでは限定されない。通信装置２０は、マイクロプロセッサ又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの処理手段、保存ユニット２１０及び通信インターフェース・ユニット２２０を含んでもよい。保存ユニット２１０は、処理手段２００によるアクセスに対しパスする、プログラム・コード２１４を保存できる如何なるデータ保存装置であってもよい。保存ユニット２１０の例は、ＳＩＭ（Ｓｕｂｓｃｒｉｂｅｒ  Ｉｄｅｎｔｉｔｙ  Ｍｏｄｕｌｅ）、ＲＯＭ（読み出し専用メモリ）、フラッシュメモリ、ＲＡＭ（ランダム・アクセス・メモリ）、ＣＤ−ＲＯＭｓ、磁気テープ、ハードディスク、及び光学データ保存装置を含むが、それらに限定されない。通信インターフェース・ユニット２２０は、望ましくは、無線送受信機であり、処理手段２００の処理結果に従ってネットワークと無線信号を交換することができる。
【００２０】
ＬＴＥ−Ａｄａｎｃｅｄシステムに対する通信プロトコル層の概略図を示す図３を参照されたい。いくつかのプロトコル層の動作は、プログラム・コード２１４において定義され、処理手段２００によって実行される。プロトコル層は、上から下まで、無線リソース制御（ＲＲＣ）層３００、ＰＤＣＰ（Ｐａｃｋｅｔ  Ｄａｔａ  Ｃｏｎｖｅｒｇｅｎｃｅ  Ｐｒｏｔｏｃｏｌ）層３１０、無線リンク制御（ＲＬＣ）層３２０、媒体アクセス制御（ＭＡＣ）層３３０、及び物理（ＰＨＹ）層３４０である。ＲＲＣ層３００は、ＲＲＣ接続管理、測定報告及び制御、モビリティ設定、及び無線ベアラー（ＲＢｓ）を生成しリリースする責任のある無線ベアラー（ＲＢ）制御を実施するために使用される。
【００２１】
模範的なプロセス４０のフローチャートを示す図４を参照されたい。プロセス４０は、ＵＥにおいて図１のモバイル機器として、近接情報送信を扱うために使用される。ＵＥは、アクセス可能なＣＳＧセルのリストを供給することが可能なＣＳＧホワイトリストを有する。プロセス４０は、プログラム・コード２１４にコンパイルされてもよく、以下のステップを含む：
ステップ４００：開始。
【００２２】
ステップ４１０：ハンドオーバ・コマンド又はＲＲＣ接続再設立手順を受信することによってトリガーされるハンドオーバ手順を開始する。
【００２３】
ステップ４２０：ＵＥにおけるホワイトリストのＣＳＧセルを検出し、該ホワイトリストは、ＵＥに対してアクセス可能なＣＳＧセルのリストを供給する。
【００２４】
ステップ４３０：ネットワークから受信されるＲＲＣメッセージに従って近接情報送信を実施するかどうかを決定し、該ＲＲＣメッセージはその近接情報送信の設定を含む。
【００２５】
ステップ４４０：終了。
【００２６】
プロセス４０によれば、ネットワークから受信されたハンドオーバ・コマンドによってトリガーされるハンドオーバ又は基地局へのＲＲＣ接続再設立が生じる場合、ＵＥは常に、ＣＳＧホワイトリストのＣＳＧセルが検出されてもＲＲＣメッセージにおける近接情報送信の設定に従ってその近接情報送信を実施するかどうかを決定する。さらに具体的には、ＵＥは、ＲＲＣメッセージが近接情報の送信を設定する場合、ハンドオーバ又はＲＲＣ接続再設立が完全に実施された後に近接情報を基地局へ送信するが、ＵＥは、ＲＲＣメッセージが近接情報の送信を設定しない場合は、ハンドオーバ又はＲＲＣ接続再設立が完全に実施された後に、その近接情報を基地局へ送信しない。
【００２７】
注目すべきは、ＵＥは、ＲＲＣメッセージが近接情報の送信を設定する場合及びハンドオーバ又はＲＲＣ接続再設立手順が完全に実施される場合、近接情報を基地局へ送信することが許可される。それは、ＵＥは信号伝達無線ベアラー２（ＳＲＢ２）が設立される前に近接情報を送信することが禁止されているからである。さらに、ＲＲＣメッセージは、そのＲＲＣ接続再設立手順が完全に実施された後に受信されうる「ＲＲＣ接続再設定」メッセージ、ハンドオーバをリクエストする「ＲＲＣ接続再設定」メッセージ又はハンドオーバ・コマンドであってもよい。
【００２８】
プロセス４０に基づいた例を考慮する。ネットワーク（例えば、Ｅ−ＵＴＲＡＮ又はソースｅＮＢ）は、「ＲＲＣ接続再設定」メッセージにおける「インバウンドＨＯサポート」のフィールドによってインバウンド・モビリティのサポートを示す。ＵＥが、ソースｅＮＢがＣＳＧ／ハイブリッド・セルへのインバウンド・モビリティをサポートすることを示す「インバウンドＨＯサポート」フィールドを含む「ＲＲＣ接続再設定」メッセージを受信した場合、ＵＥは、そのソースｅＮＢがインバウンド・モビリティをサポートすることを知り、従って、近接情報送信が許可される。ＵＥは、ＲＲＣ接続再設立手順（例えば、無線リンク故障、ＲＬＣ回復不能エラー、ＭＡＣランダム・アクセス・エラーによる）をターゲットｅＮＢに実施し、それがＣＳＧホワイトリストにおけるＣＳＧセルに近いことを検出する。ＵＥは、ＲＲＣ接続再設立手順のすぐ後に受信された第１「ＲＲＣ接続再設定」メッセージが、ターゲットｅＮＢがＣＳＧセルへのインバウンド・モビリティを（例えば、「インバウンドＨＯサポート」フィールドによって）サポートすることを示す場合、近接情報をターゲットｅＮＢへ送信するように設定され、従って、その近接情報を、ＲＲＣ接続再設立手順が完全に実施された後にターゲットｅＮＢへ送信する。一方、ＲＲＣ接続再設立手順のすぐ後に受信された第１「ＲＲＣ接続再設定」メッセージが、ターゲットｅＮＢがＣＳＧセルへのインバウンド・モビリティをサポートしないことを示す場合、ＵＥは近接情報をターゲットｅＮＢへ送信するように設定されず、従って、近接情報をＲＲＣ接続再設立手順が完全に実施された後にターゲットｅＮＢに送信しない。その概念は、ハンドオーバ手順に適用される。違いは、ＵＥが、ハンドオーバ・コマンドがネットワークから受信される場合、そのハンドオーバ・コマンド（例えば、近接情報送信を有効化／無効化することによって）に従って、近接情報送信を実施するかどうかを決定することである。ＵＥは、ハンドオーバ・コマンドが近接情報送信を有効にする場合、ハンドオーバ・コマンド近接情報をターゲットｅＮＢへ送信し、ハンドオーバ手順が完全に実施された後に近接情報送信を実施する。そうでない場合は、ＵＥは、ターゲットｅＮＢへ近接情報を送信するように設定されず、従って、ハンドオーバ手順が完全に実施された後に、近接情報送信を実施するように設定されない。簡潔に、ソースｅＮＢによって近接情報送信を設定されているＵＥは、そのＵＥがＲＲＣ接続再設立手順又はハンドオーバ手順を完了した後にターゲットｅＮＢへ近接情報を自動的には送信しない。言いかえれば、そのＵＥがＲＲＣ接続再設立手順又はハンドオーバ手順を完了した後に、ＵＥは、ＲＲＣメッセージにおける近接情報送信の設定に従ってターゲットｅＮＢへ近接情報を送信するかどうかを決定する。
【００２９】
プロセス４０は、ＵＥが、ハンドオーバ手順又はＲＲＣ接続再設立手順が生じる場合に、どのように近接情報送信を扱うべきかを明確に指定する。ＵＥは、近接情報送信で設定されていない場合は、ターゲットｅＮＢへ近接情報を送信しない。従って、ＵＥが、ターゲットｅＮＢへの近接情報を含む「ＲＲＣ接続再設定リクエスト」メッセージを送信する場合、そのターゲットｅＮＢは、その「ＲＲＣ接続再設定リクエスト」メッセージによって混乱されず、従って、そのターゲットｅＮＢのシステム故障が防止される。
【００３０】
模範的なプロセス５０のフローチャートを示す図５を参照されたい。プロセス５０は、図１のモバイル機器のようにＵＥにおいて近接情報送信を扱うために使用される。ＵＥは、アクセス可能なＣＳＧセルのリストを供給することが可能なＣＳＧホワイトリストを有する。プロセス５０は、プログラム・コード２１４にコンパイルされ、以下のステップを含む：
ステップ５００：開始。
【００３１】
ステップ５１０：ハンドオーバ・コマンド又はＲＲＣ接続再設立手順を受信することによってトリガーされるハンドオーバ手順を開始する。
【００３２】
ステップ５２０：ＣＳＧホワイトリストにおけるＣＳＧセルを検出する。
【００３３】
ステップ５３０：ハンドオーバ手順又はＲＲＣ接続再設立手順が完全に実施された後に、近接情報送信の設定を含むＲＲＣメッセージがネットワークから受信される場合、近接情報送信を実施する。
【００３４】
ステップ５４０：終了。
【００３５】
プロセス５０に従って、ＵＥは、近接情報の送信を設定するＲＲＣメッセージが受信される場合、ＵＥがハンドオーバ又はＲＲＣ接続再設立手順を（例えば、ＳＲＢＮ２が設立された後に）完了した後に、近接情報送信を実施する。そうでない場合は、ＵＥは、ハンドオーバ又はＲＲＣ接続再設立手順を完了した後に近接情報送信を実施しない。
【００３６】
さらに、ＲＲＣメッセージは、ＲＲＣ接続再設立手順が完全に実施された直後に受信される「ＲＲＣ接続再設定」メッセージ、ハンドオーバをリクエストする「ＲＲＣ接続再設定」メッセージ、又はハンドオーバ・コマンドであってもよい。
【００３７】
プロセス５０に基づく例を考慮する。ＵＥは、ネットワーク（例えば、Ｅ−ＵＴＲＡＮ又はソースｅＮＢ）による近接情報送信で設定されている。ＵＥは、ＲＲＣ接続再設立手順をターゲットｅＮＢへ実施し、そのＵＥがＣＳＧホワイトリストにあるＣＳＧセルに近いことを検出する。ＲＲＣ接続再設立手順が完全に実施された後に、ＵＥは、ＲＲＣ接続再設立手順のすぐ後に続き、ターゲットｅＮＢがＣＳＧセルへのインバウンド・モビリティをサポートすることを示す第１「ＲＲＣ接続再設定」メッセージがネットワークから受信される場合、近接情報をターゲットｅＮＢへ送信する。その概念は、ハンドオーバ手順にも適用することができる。ＵＥは、近接情報送信を有効にするハンドオーバ・コマンドがネットワークから受信される場合、ハンドオーバ手順が完全に実施された後に、近接情報送信をターゲットｅＮＢへ送信する。
【００３８】
プロセス４０に類似して、ＵＥは、近接情報送信の設定を含むＲＲＣメッセージがネットワークから受信されない限り、ハンドオーバ又はＲＲＣ接続再設立手順を完了した後にターゲットｅＮＢへ近接情報を自動的に送信せず、従って、ターゲットｅＮＢのシステム故障を防ぐ。
【００３９】
模範的なプロセス６０のフローチャートを示す図６を参照されたい。プロセス６０は、図１のモバイル機器のように、ＵＥにおいて近接情報送信を扱うために使用される。ＵＥは、アクセス可能なＣＳＧセルのリストを供給することが可能なＣＳＧホワイトリストを有する。プロセス６０は、プログラム・コード２１４にコンパイルされてもよく、以下のステップを含む：
ステップ６００：開始。
【００４０】
ステップ６１０：近接情報の設定を含むＲＲＣメッセージをネットワークから受信する。
【００４１】
ステップ６２０：ハンドオーバ・コマンド又はＲＲＣ接続再設立手順を受信することによってトリガーされるハンドオーバ手順を開始する。
【００４２】
ステップ６３０：近接情報の送信を無効化する。
【００４３】
ステップ６４０：終了。
【００４４】
プロセス６０に従って、ＵＥは、ＲＲＣ接続再設立手順又はハンドオーバ手順の間に近接情報の送信を無効化する。つまり、ＵＥは、ハンドオーバ手順（例えば、ネットワークからのハンドオーバ・コマンドの受領の直後）又はＲＲＣ接続再設立手順（例えば、ＲＲＣ接続再設立手順の開始の直後）が完全に実施されていない場合は、近接情報送信を実施しない。
【００４５】
プロセス６０に基づいた例を考慮する。ＵＥは、近接情報送信の設定を含むＲＣメッセージ（例えば、「ＲＲＣ接続再設定」メッセージ）をネットワーク（例えば、Ｅ−ＵＴＲＡＮ又はソースｅＮＢ）から受信する。ＵＥは、ハンドオーバ手順又はＲＲＣ接続再設立手順をターゲットｅＮＢに実施し、そのＵＥがＣＳＧホワイトリストにおけるＣＳＧセルに近いことを検出する。ＵＥは、ハンドオーバ手順又はＲＲＣ接続再設立手順がいまだに実施されている場合、近接情報送信を無効化する。つまり、ＵＥは、近接情報送信の設定をリリースする。したがって、ＵＥは、ハンドオーバ手順又はＲＲＣ接続再設立手順の期間中には、ターゲットｅＮＢを混乱させてシステム故障を起こすことを防ぐために、近接情報を送信しない。
【００４６】
さらに、ＵＥは、ハンドオーバ手順又はＲＲＣ接続再設立手順が完全に実施された後にプロセス４０又は５０に従ってターゲットｅＮＢに近接情報送信を実施してもよい。
【００４７】
注目すべきは、提案されたステップを含む上記のプロセスのステップは、ハードウェア、ハードウェア・デバイスとコンピュータ・インストラクションとそのハードウェア・デバイスにおける読み出し専用ソフトウェアとして存在するデータとの組み合わせとして知られるファームウェアによって実現される。ハードウェアの例は、マイクロ回路、マイクロチップ又はシリコンチップとして知られるアナログ、デジタル及び混合回路を含みうる。電子システムの例は、システム・オン・チップ（ＳＯＣ）、システム・イン・パッケージ（Ｓｉｐ）、コンピュータ・オン・モジュール（ＣＯＭ）及び通信装置２０を含む。
【００４８】
結論において、模範的な例及び手段が、接続転送が生じる場合、近接情報を正確に送信するように、ＵＥで設定された近接情報送信における近接情報送信を扱うために、提供される。
【００４９】
当業者は、本発明の教示を維持する一方、本発明の装置及び方法の多数の改良形及び変形を容易に理解するであろう。従って、上記の開示は、添付の請求項の範囲及び計測によってのみ限定されるものとして解釈されるべきでない。
【符号の説明】
【００５０】
１０…無線通信システム
２０…通信装置
２００…処理手段
２１０…保存ユニット
２２０…通信インターフェース・ユニット
２１４…プログラム・コード
３００…無線リソース制御（ＲＲＣ）層
３１０…パケットデータ収束プロトコル（ＰＤＣＰ）層
３２０…無線リンク制御（ＲＬＣ）層
３３０…媒体アクセス制御（ＭＡＣ）層
３４０…物理（ＰＨＹ）層
４０…プロセス
５０…プロセス
６０…プロセス
【図１】
2011097589.tif 000003
【図２】
2011097589.tif 000004
【図３】
2011097589.tif 000005
【図４】
2011097589.tif 000006
【図５】
2011097589.tif 000007
【図６】
2011097589.tif 000008